(57)【要約】  第１カラーフィルタ（ＣＦ１）が設けられた第１サブピクセル（Ｐ１）と、第２カラーフィルタ（ＣＦ２）が設けられた第２サブピクセル（Ｐ２）と、第１カラーフィルタ（ＣＦ１）と第２カラーフィルタ（ＣＦ２）の間に設けられたブラックマトリクス（ＢＭ）と、を備え、第１カラーフィルタ（ＣＦ１）の色は、第２カラーフィルタ（ＣＦ２）の色と混合することにより、第２カラーフィルタ（ＣＦ２）の色に対して相対的に小さい色変化を生じさせる色であり、第２カラーフィルタ（ＣＦ２）の色は、第１カラーフィルタ（ＣＦ１）の色と混合することにより、第１カラーフィルタ（ＣＦ１）の色に対して相対的に大きい色変化を生じさせる色であり、ブラックマトリクス（ＢＭ）の幅方向の中心の位置は、第１サブピクセル（Ｐ１）と第２サブピクセル（Ｐ２）との境界部（ＢＬ）よりも第２サブピクセル（Ｐ２）側に配置されている液晶表示装置。
2014038436.tif 000002
【特許請求の範囲】
【請求項１】
第１カラーフィルタが設けられた第１サブピクセルと、
第２カラーフィルタが設けられた第２サブピクセルと、
前記第１カラーフィルタと前記第２カラーフィルタの間に設けられたブラックマトリクスと、を備え、
前記第１カラーフィルタの色は、前記第２カラーフィルタの色と混合することにより、前記第２カラーフィルタの色に対して相対的に小さい色変化を生じさせる色であり、
前記第２カラーフィルタの色は、前記第１カラーフィルタの色と混合することにより、前記第１カラーフィルタの色に対して相対的に大きい色変化を生じさせる色であり、
前記ブラックマトリクスの幅方向の中心の位置は、前記第１サブピクセルと前記第２サブピクセルとの境界部よりも前記第２サブピクセル側に配置されている液晶表示装置。
【請求項２】
前記第１サブピクセルとして、赤色カラーフィルタが設けられた赤色サブピクセルを備え、前記第２サブピクセルとして、緑色カラーフィルタが設けられた緑色サブピクセルを備えている請求項１に記載の液晶表示装置。
【請求項３】
前記第１サブピクセルとして、青色カラーフィルタが設けられた青色サブピクセルを備え、前記第２サブピクセルとして、緑色カラーフィルタが設けられた緑色サブピクセルを備えている請求項１に記載の液晶表示装置。
【発明の詳細な説明】
【技術分野】
【０００１】
本発明は、液晶表示装置に関する。
本願は、２０１２年９月４日に、日本に出願された特願２０１２−１９３８９０号に基づき優先権を主張し、その内容をここに援用する。
【背景技術】
【０００２】
一般に、液晶表示装置の１画素内には、赤、緑、青などの単色表示を行う複数のサブピクセルが設けられている。各サブピクセルにはカラーフィルタが設けられており、カラーフィルタを透過した光によってカラー表示が行われる。【０００３】
特定のサブピクセルを用いて単色表示を行う場合、その単色の画像を斜めから見ると、当該サブピクセルで変調された光の一部が、当該サブピクセルのカラーフィルタを透過せずに、隣りのサブピクセルのカラーフィルタを透過して観察者に視認されることがある。
この場合、本来視認されるべき色のほかに、隣りのサブピクセルのカラーフィルタの色が混合されるため、本来表示されるべき色とは異なる色の表示が行われることとなる。この現象は混色と呼ばれており、スマートフォンやタブレット端末のように斜めから画像を視認する機会の多い携帯型情報端末において、特に顕著な問題となっている。【０００４】
混色の問題は、カラーフィルタ間に設けられたブラックマトリクスの幅を広げることにより軽減されるが、ブラックマトリクスの幅を広げすぎるとサブピクセルの開口率が低下するため、好ましくない。そのため、特許文献１では、ブラックマトリクスの幅を、青と緑、緑と赤、赤と青の各サブピクセル間で一律に制御するのではなく、表示の色味に影響を与えると思われるサブピクセル間のブラックマトリクスの幅（赤と青のサブピクセル間のブラックマトリクスの幅）を他のサブピクセル間のブラックマトリクスの幅よりも優先的に広げることにより、開口率の低下を抑制している。
【先行技術文献】
【特許文献】
【０００５】
【特許文献１】特開２０１０−１４７６０号公報
【発明の概要】
【発明が解決しようとする課題】
【０００６】
特許文献１では、赤と青のサブピクセル間のブラックマトリクスの幅を２つのサブピクセルの間の中間の位置（ドレイン信号線の中心の位置）に対して赤色側と青色側の双方に対して等しい割合で広げている。しかしながら、このような設計は、本発明者の検討によれば、必ずしも適切ではないことが明らかになっている。【０００７】
後述の実施例で説明するように、混色によって観察者が感じる色変化の大きさは、単色表示を行うサブピクセルのカラーフィルタの色とこれに混合される隣りのサブピクセルのカラーフィルタの色との組み合わせによって変化する。同じサブピクセルを用いて単色表示を行う場合であっても、隣りのサブピクセルのカラーフィルタからどのような色の光が混合されるかによって、観察者が感じる色変化の大きさは異なってくる。よって、赤色側と青色側の双方に対して等しい割合でブラックマトリクスを広げると、色変化が生じやすい組み合わせに合わせてブラックマトリクスの幅を設計することとなるため、ブラックマトリクスの幅が不必要に広くなり、開口率が十分に確保できない場合がある。【０００８】
また、後述の実施例によれば、赤色の単色表示に対して緑色が混合する場合が最も色変化を感じ易くなるが、特許文献１のように赤と青のサブピクセル間のブラックマトリクスの幅を他のサブピクセル間のブラックマトリクスの幅よりも大きくしても、このような色変化の問題を改善することにはならない。むしろ赤と青のサブピクセル間のブラックマトリクスの幅が大きくなることにより、開口率の低下を招くという問題を生じる。【０００９】
本発明の目的は、開口率を大きく損なうことなく混色による色変化を抑制可能な液晶表示装置を提供することにある。
【課題を解決するための手段】
【００１０】
本発明の液晶表示装置は、第１カラーフィルタが設けられた第１サブピクセルと、第２カラーフィルタが設けられた第２サブピクセルと、前記第１カラーフィルタと前記第２カラーフィルタの間に設けられたブラックマトリクスと、を備え、前記第１カラーフィルタの色は、前記第２カラーフィルタの色と混合することにより、前記第２カラーフィルタの色に対して相対的に小さい色変化を生じさせる色であり、前記第２カラーフィルタの色は、前記第１カラーフィルタの色と混合することにより、前記第１カラーフィルタの色に対して相対的に大きい色変化を生じさせる色であり、前記ブラックマトリクスの幅方向の中心の位置は、前記第１サブピクセルと前記第２サブピクセルとの境界部よりも前記第２サブピクセル側に配置されている。【００１１】
前記第１サブピクセルとして、赤色カラーフィルタが設けられた赤色サブピクセルを備え、前記第２サブピクセルとして、緑色カラーフィルタが設けられた緑色サブピクセルを備えていてもよい。【００１２】
前記第１サブピクセルとして、青色カラーフィルタが設けられた青色サブピクセルを備え、前記第２サブピクセルとして、緑色カラーフィルタが設けられた緑色サブピクセルを備えていてもよい。
【発明の効果】
【００１３】
本発明によれば、開口率を大きく損なうことなく混色による色変化を抑制可能な液晶表示装置を提供することができる。
【図面の簡単な説明】
【００１４】
【図１Ａ】本発明の原理を説明するための第１の図である。
【図１Ｂ】本発明の原理を説明するための第２の図である。
【図２Ａ】本発明の原理を説明するための第１の図である。
【図２Ｂ】本発明の原理を説明するための第２の図である。
【図３Ａ】比較例１に係る液晶表示装置の断面図である。
【図３Ｂ】比較例２に係る液晶表示装置の断面図である。
【図４Ａ】アライメントずれに伴う斜め方向の色変化を示す第１の図である。
【図４Ｂ】アライメントずれに伴う斜め方向の色変化を示す第２の図である。
【図５Ａ】実施例１に係る液晶表示装置の第１の断面図である。
【図５Ｂ】実施例１に係る液晶表示装置の第２の断面図である。
【図６Ａ】アライメントずれに伴う斜め方向の色変化を示す第１の図である。
【図６Ｂ】アライメントずれに伴う斜め方向の色変化を示す第２の図である。
【図７】実施例２に係る液晶表示装置の断面図である。
【図８】アライメントずれに伴う斜め方向の色変化を示す図である。
【発明を実施するための形態】
【００１５】
［本発明の原理の説明］
まず、図１Ａ、図１Ｂおよび図２Ａ、図２Ｂを用いて本発明の原理を説明する。
【００１６】
図１Ａおよび図２Ａは、第１サブピクセルＰ１による単色画像を第２サブピクセルＰ２側から観察した状態を示す図であり、図１Ｂおよび図２Ｂは、第２サブピクセルＰ２による単色画像を第１サブピクセルＰ１側から観察した状態を示す図である。
【００１７】
なお、図１Ａ、図１Ｂおよび図２Ａ、図２Ｂでは、便宜上、１画素内に含まれる複数のサブピクセルのうち、ブラックマトリクスＢＭを挟んで互いに隣接する２つのサブピクセルＰ１，Ｐ２のみを抜き出して図示している。図１Ａ、図１Ｂおよび図２Ａ、図２Ｂにおいて、符号ＤＬは、データラインを示しており、符号Ｌｃは、液晶層を示しており、符号ＢＬは、第１サブピクセルＰ１と第２サブピクセルＰ２との境界部を示している。
【００１８】
本発明において、液晶表示装置の表示方式は、特に限定されない。表示方式としては、ＩＰＳ（In-Plane Switching）方式、ＶＡ（Vertical Alignment）方式、ＦＦＳ（Fringe-Field Switching）方式、ＯＣＢ（Optically Compensated Bend）方式、ＴＮ（TwistedNematic）方式など、公知の種々の表示方式が採用されうる。
【００１９】
サブピクセルの平面領域は、一対のデータラインＤＬと一対のゲートライン（図示略）によって囲まれた矩形の領域として定義される。サブピクセルの境界部ＢＬの位置は、データラインＤＬの幅方向中心の位置、および、ゲートラインの幅方向中心の位置として定義される。
【００２０】
図１Ａに示すように、第１サブピクセルＰ１を用いて単色表示を行う場合、その単色の画像を斜めから見ると、第１サブピクセルＰ１で変調された光の一部が、第１サブピクセルＰ１の第１カラーフィルタＣＦ１を透過せずに、第２サブピクセルＰ２の第２カラーフィルタＣＦ２を透過して観察者に視認されることがある。第１カラーフィルタＣＦ１を透過した光Ｌ１の色に対して、第２カラーフィルタＣＦ２を透過した光Ｌ２の色（第２カラーフィルタＣＦ２の色）が混合するため、第１サブピクセルＰ１の表示色とは若干異なる色の画像が表示される。
【００２１】
一方、図１Ｂに示すように、第２サブピクセルＰ２を用いて単色表示を行う場合、その単色の画像を斜めから見ると、第２サブピクセルＰ２で変調された光の一部が、第２サブピクセルＰ２の第２カラーフィルタＣＦ２を透過せずに、第１サブピクセルＰ１の第１カラーフィルタＣＦ１を透過して観察者に視認されることがある。第２カラーフィルタＣＦ２を透過した光Ｌ２の色に対して、第１カラーフィルタＣＦ１を透過した光Ｌ１の色が混合するため、第２サブピクセルＰ２の表示色（第２カラーフィルタＣＦ２の色）とは若干異なる色の画像が表示される。
【００２２】
混色の問題は、カラーフィルタＣＦ１，ＣＦ２間に設けられたブラックマトリクスＢＭの幅（第１サブピクセルＰ１と第２サブピクセルＰ２の並び方向の幅）を広げることにより軽減されるが、ブラックマトリクスＢＭの幅を広げすぎるとサブピクセルＰ１，Ｐ２の開口率が低下するため、好ましくない。
【００２３】
本発明者の検討によれば、混色によって観察者が感じる色変化の大きさは、単色表示を行うサブピクセルのカラーフィルタの色とこれに混合される隣りのサブピクセルのカラーフィルタの色との組み合わせによって変化する。同じサブピクセルを用いて単色表示を行う場合であっても、隣りのサブピクセルのカラーフィルタからどのような色の光が混合されるかによって、観察者が感じる色変化の大きさは異なってくる。
【００２４】
例えば、第１カラーフィルタＣＦ１の色が、第２カラーフィルタＣＦ２の色と混合することにより、第２カラーフィルタＣＦ２の色に対して相対的に小さい色変化を生じさせる色であり、第２カラーフィルタＣＦ２の色が、第１カラーフィルタＣＦ１の色と混合することにより、第１カラーフィルタＣＦ１の色に対して相対的に大きい色変化を生じさせる色であるとする。このとき、第１カラーフィルタＣＦ１の色への第２カラーフィルタＣＦ２の色の混合を抑制するために、ブラックマトリクスＢＭの幅を第１サブピクセルＰ１側および第２サブピクセルＰ２側の双方に大きく広げてしまうと、少なくとも第１サブピクセルＰ１においては開口率が必要以上に小さくなってしまう。
【００２５】
そこで、本発明では、図２Ａに示すように、ブラックマトリクスＢＭが、相対的に色変化を生じさせやすい第２カラーフィルタＣＦ２が設けられた第２サブピクセルＰ２側に相対的に大きく広げられている。これにより、第１サブピクセルＰ１において必要以上に開口率が小さくならないようになっている。
【００２６】
すなわち、従来の液晶表示装置では、図１Ａ、図１Ｂに示すように、ブラックマトリクスＢＭの幅方向の中心の位置は、サブピクセルの境界部ＢＬの位置と一致しているが、本発明の液晶表示装置では、図２Ａ、図２Ｂに示すように、ブラックマトリクスＢＭの幅方向の中心の位置は、サブピクセルの境界部ＢＬよりも第２サブピクセルＰ２側にずれた位置に配置されている。
【００２７】
サブピクセルの境界部ＢＬを中心として、第２サブピクセルＰ２側のブラックマトリクスＢＭの幅を第１サブピクセルＰ１側のブラックマトリクスＢＭの幅よりも大きくすることで、開口率を大きく損なうことなく混色による色変化を抑制している。この場合、図２Ｂに示すように、第１カラーフィルタＣＦ１の色が第２カラーフィルタＣＦ２の色に混合することは十分に抑制できないが、もともとこのような混色による色変化は観察者において殆ど感じられないので、画質が大きく損なわれることはない。
【００２８】
［第１実施形態］
以下、本発明の第１実施形態として、１画素内に３つのサブピクセルが設けられたＩＰＳ方式の液晶表示装置について説明する。
【００２９】
まず、図３Ａ、図３Ｂおよび図４Ａ、図４Ｂを用いて、混色に対する従来の改善策の一例を説明する。図３Ａは、従来の液晶表示装置１（比較例１）の断面図であり、図３Ｂは、改善後の液晶表示装置２（比較例２）の断面図である。図４Ａは、液晶表示装置１におけるアライメントずれによる斜め方向の色変化を示す図であり、図４Ｂは、液晶表示装置２におけるアライメントずれによる斜め方向の色変化を示す図である。
【００３０】
なお、図４Ａおよび図４Ｂにおいて、色変化の大きさは、ｕ′ｖ′色度図（ＣＩＥ  １９７６  ＵＣＳ色度図）上の色差、すなわち、ｕ′ｖ′色度図上の距離として定義される。色差Δｕ′ｖ′は、Δｕ′ｖ′＝｛（ｕ′−ｕ０′）２＋（ｖ′−ｖ０′）２｝１／２として算出される。ただし、（ｕ′、ｖ′）は、混色が生じた後の色の色度座標であり、（ｕ０、ｖ０）は、混色が生じる前の色（本来表示すべきサブピクセルのカラーフィルタの色）の色度座標である。
【００３１】
図３Ａに示すように、液晶表示装置１は、互いに対向配置された第１基板１０および第２基板２０と、第１基板１０と第２基板２０との間に挟持された液晶層Ｌｃと、を備えている。第１基板１０には、データラインＤＬと画素電極１１と共通電極１２とが設けられており、画素電極１１と共通電極１２との間に発生する電界（横電界）によって液晶層Ｌｃの配向が制御される。第２基板２０には、赤色カラーフィルタＣＦｒと緑色カラーフィルタＣＦｇと青色カラーフィルタＣＦｂとが設けられており、互いに隣接するカラーフィルタの間にはブラックマトリクスＢＭが設けられている。
【００３２】
液晶表示装置１の１画素内には、赤色カラーフィルタＣＦｒが設けられた赤色サブピクセルＰｒと、緑色カラーフィルタＣＦｇが設けられた緑色サブピクセルＰｇと青色カラーフィルタＣＦｂが設けられた青色サブピクセルＰｂとが設けられている。赤色サブピクセルＰｒと緑色サブピクセルＰｇ、緑色サブピクセルＰｇと青色サブピクセルＰｂ、青色サブピクセルＰｂと赤色サブピクセルＰｒは、それぞれブラックマトリクスＢＭを挟んで互いに隣接して配置されている。
【００３３】
図３Ａにおいて、符号ＢＬｇｒは、赤色サブピクセルＰｒと緑色サブピクセルＰｇとの境界部を示しており、符号ＢＬｂｇは、緑色サブピクセルＰｇと青色サブピクセルＰｂとの境界部を示しており、符号ＢＬｒｂは、青色サブピクセルＰｂと赤色サブピクセルＰｒとの境界部を示しており、符号Ｗｇｒは、境界部ＢＬｇｒに配置されるブラックマトリクスＢＭの幅を示しており、符号Ｗｂｇは、境界部ＢＬｂｇに配置されるブラックマトリクスＢＭの幅を示しており、符号Ｗｒｂは、境界部ＢＬｒｂに配置されるブラックマトリクスＢＭの幅を示している。
【００３４】
液晶表示装置１は、全てのブラックマトリクスＢＭの幅が均一に形成された液晶表示装置である。ＷｇｒとＷｂｇとＷｒｂは全て等しくなっており（Ｗｇｒ＝Ｗｂｇ＝Ｗｒｂ）、各境界部ＢＬｇｒ，ＢＬｂｇ，ＢＬｒｂに配置されたブラックマトリクスＢＭの幅方向の中心の位置は、その境界部ＢＬｇｒ，ＢＬｂｇ，ＢＬｒｂの位置と一致している。
【００３５】
図４Ａに示すように、第１基板と第２基板との間にアライメントずれが生じると、隣のサブピクセルのカラーフィルタからの光漏れが大きくなり、本来表示すべき色からの色変化も大きくなる。混色によって生じる色変化の大きさは、単色表示を行うサブピクセルのカラーフィルタの色とこれに混合される隣りのサブピクセルのカラーフィルタの色との組み合わせによって変化する。同じサブピクセルを用いて単色表示を行う場合であっても、隣りのサブピクセルのカラーフィルタからどのような色の光が混合されるかによって、観察者が感じる色変化の大きさは異なってくる。
【００３６】
例えば、図４Ａの例では、赤色表示時に緑色光Ｌｇが混合する場合が最も色変化が大きく、次いで、青色表示時に緑色光Ｌｇが混合する場合、青色表示時に赤色光Ｌｒが混合する場合、赤色表示時に青色光Ｌｂが混合する場合、緑色表示時に青色光Ｌｂが混合する場合、緑色表示時に赤色光Ｌｒが混合する場合の順に色変化が大きくなる。この結果は、目視評価による観察者が感じる色変化の結果と傾向が一致する。観察者が感じる色変化の大きさは、色度図上の色変化として評価することが可能である。
【００３７】
図３Ｂに示すように、液晶表示装置２は、液晶表示装置１のブラックマトリクスＢＭを各サブピクセルの境界部ＢＬｇｒ，ＢＬｂｇ，ＢＬｒｂを中心としてその両側に均等に広げた液晶表示装置である。液晶表示装置２においても、ＷｇｒとＷｂｇとＷｒｂは全て等しくなっており（Ｗｇｒ＝Ｗｂｇ＝Ｗｒｂ）、各境界部ＢＬｇｒ，ＢＬｂｇ，ＢＬｒｂに配置されたブラックマトリクスＢＭの幅方向の中心の位置は、その境界部ＢＬｇｒ，ＢＬｂｇ，ＢＬｒｂの位置と一致している。
【００３８】
図４Ｂに示すように、液晶表示装置２では、上述した全ての混色の態様において、混色の発生が十分に抑制されている。アライメントずれが大きくなっても混色による色変化は殆ど生じておらず、非常に高い色再現性が実現されている。しかしながら、ブラックマトリクスＢＭの幅が全てのサブピクセルの境界部において一律に制御されているので、最も色変化が生じやすい赤色表示時の緑色の混色を十分に抑制しようとすると、特定のサブピクセルにおいては、開口率が必要以上に小さくなる可能性がある。
【００３９】
そこで、本実施形態では、図５Ｂに示すように、ブラックマトリクスの幅をそれぞれの混色の態様に応じてサブピクセルの境界部ＢＬｇｒ，ＢＬｂｇ，ＢＬｒｂごとに適切に制御している。
【００４０】
図５Ｂは、本発明に係る液晶表示装置３（実施例１）の断面図であり、図６Ｂは、液晶表示装置３におけるアライメントずれによる斜め方向の色変化を示す図である。
図５Ａおよび図６Ａには、比較のため、従来の液晶表示装置１（比較例１）の断面図と、液晶表示装置１におけるアライメントずれによる斜め方向の色変化を示す図を示している。
【００４１】
本実施形態の場合、ブラックマトリクスＢＭを挟んで互いに隣接するサブピクセルの組は、赤色サブピクセルＰｒと緑色サブピクセルＰｇ、緑色サブピクセルＰｇと青色サブピクセルＰｂ、青色サブピクセルＰｂと赤色サブピクセルＰｒ、の合計３組存在する。
【００４２】
赤色サブピクセルＰｒと緑色サブピクセルＰｇの組では、赤色カラーフィルタＣＦｒの色は、緑色カラーフィルタＣＦｇの色と混合することにより、緑色カラーフィルタＣＦｇの色に対して相対的に小さい色変化を生じさせる色であり、緑色カラーフィルタＣＦｇの色は、赤色カラーフィルタＣＦｒの色と混合することにより、赤色カラーフィルタＣＦｒの色に対して相対的に大きい色変化を生じさせる色である。
【００４３】
緑色サブピクセルＰｇと青色サブピクセルＰｂの組では、青色カラーフィルタＣＦｂの色は、緑色カラーフィルタＣＦｇの色と混合することにより、緑色カラーフィルタＣＦｇの色に対して相対的に小さい色変化を生じさせる色であり、緑色カラーフィルタＣＦｇの色は、青色カラーフィルタＣＦｂの色と混合することにより、青色カラーフィルタＣＦｂの色に対して相対的に大きい色変化を生じさせる色である。
【００４４】
青色サブピクセルＰｂと赤色サブピクセルＰｒの組では、青色カラーフィルタＣＦｂの色は、赤色カラーフィルタＣＦｒの色と混合することにより、赤色カラーフィルタＣＦｒの色に対して相対的に小さい色変化を生じさせる色であり、赤色カラーフィルタＣＦｒの色は、青色カラーフィルタＣＦｂの色と混合することにより、青色カラーフィルタＣＦｂの色に対して相対的に大きい色変化を生じさせる色である。
【００４５】
すなわち、隣接する相手側のサブピクセルの表示色に対して、混色により、相対的に色変化を生じさせにくいカラーフィルタが設けられたサブピクセルを第１サブピクセルとし、相対的に色変化を生じさせやすいカラーフィルタが設けられたサブピクセルを第２サブピクセルとすると、赤色サブピクセルＰｒと緑色サブピクセルＰｇの組では、赤色サブピクセルＰｒが第１サブピクセルとなり、緑色サブピクセルＰｇが第２サブピクセルとなる。緑色サブピクセルＰｇと青色サブピクセルＰｂの組では、青色サブピクセルＰｂが第１サブピクセルとなり、緑色サブピクセルＰｇが第２サブピクセルとなる。青色サブピクセルＰｂと赤色サブピクセルＰｒの組では、青色サブピクセルＰｂが第１サブピクセルとなり、赤色サブピクセルＰｒが第２サブピクセルとなる。
【００４６】
前述のように、ブラックマトリクスＢＭの幅を第１サブピクセルＰ１側および第２サブピクセルＰ２側の双方に等しい割合で広げてしまうと、少なくとも第１サブピクセルＰ１においては開口率が必要以上に小さくなってしまう。そのため、液晶表示装置３では、ブラックマトリクスＢＭが、相対的に色変化を生じさせやすいカラーフィルタが設けられた第２サブピクセルＰ２側に相対的に大きく広げられている。
【００４７】
従来の液晶表示装置１では、ブラックマトリクスＢＭの幅方向の中心の位置は、サブピクセルの境界部の位置と一致しているが、本発明に係る液晶表示装置３では、ブラックマトリクスＢＭの幅方向の中心の位置は、サブピクセルの境界部に対して、第２サブピクセルＰ２側にずれた位置に配置されている。また、従来の液晶表示装置１では、ＷｇｒとＷｂｇとＷｒｂは全て等しくなっているが（Ｗｇｒ＝Ｗｂｇ＝Ｗｒｂ）、本発明に係る液晶表示装置３では、ＷｇｒとＷｂｇとＷｒｂは必ずしも等しくならない。
【００４８】
具体的には、境界部ＢＬｇｒにおいては、ブラックマトリクスＢＭは緑色サブピクセルＰｇ側に相対的に大きく広げられており、ブラックマトリクスＢＭの幅方向の中心の位置は、境界部ＢＬｇｒよりも緑色サブピクセルＰｇ側にずれた位置に配置されている。
【００４９】
境界部ＢＬｂｇにおいては、ブラックマトリクスＢＭは、緑色サブピクセルＰｇ側に相対的に大きく広げられており、ブラックマトリクスＢＭの幅方向の中心の位置は、境界部ＢＬｂｇよりも緑色サブピクセルＰｇ側にずれた位置に配置されている。
【００５０】
境界部ＢＬｒｂにおいては、ブラックマトリクスＢＭは、赤色サブピクセルＰｒ側に相対的に大きく広げられており、ブラックマトリクスＢＭの幅方向の中心の位置は、境界部ＢＬｒｂよりも緑色サブピクセルＰｇ側にずれた位置に配置されている。
【００５１】
第２サブピクセルのカラーフィルタを透過した光が第１サブピクセルの表示色に混合することによる生じる色変化の大きさをＡとすると、前記３組のサブピクセルにおいてはＡの大きさは互いに異なる。Ａの大きさは、赤色表示時に緑色が混合する場合が最も大きく、青色表示時に緑色が混合する場合が次に大きく、青色表示時に赤色が混合する場合がその次に大きい。
【００５２】
この場合、サブピクセルの境界部よりも第２サブピクセル側に配置されるブラックマトリクスＢＭの幅を各境界部ＢＬｇｒ，ＢＬｂｇ，ＢＬｒｂにおいて一律に制御してしまうと、特定のサブピクセルにおいては開口率が必要以上に小さくなってしまう。そのため、液晶表示装置３では、前記３組のサブピクセルにおいて、サブピクセルの境界部よりも第２サブピクセル側に配置されるブラックマトリクスＢＭの幅は、Ａが大きいものほど大きくなっている。
【００５３】
具体的には、境界部ＢＬｇｒよりも緑色サブピクセルＰｇ側のブラックマトリクスＢＭの幅が最も大きく、境界部ＢＬｂｇよりも緑色サブピクセルＰｇ側のブラックマトリクスＢＭの幅が次に大きく、境界部ＢＬｒｂよりも赤色サブピクセルＰｒ側のブラックマトリクスＢＭの幅がその次に大きい。これにより、サブピクセルの開口率が必要以上に小さくなることが抑制されている。
【００５４】
以上説明したように、本実施形態の液晶表示装置３においては、ブラックマトリクスＢＭの幅がそれぞれの混色の態様に応じてサブピクセルの境界部ＢＬｇｒ，ＢＬｂｇ，ＢＬｒｂごとに適切に制御されている。そのため、開口率を大きく損なうことなく混色による色変化を抑制することができる。
【００５５】
［第２実施形態］
図７は、本発明に係る液晶表示装置４（実施例２）の断面図である。図８は、液晶表示装置４におけるアライメントずれによる斜め方向の色変化を示す図である。
【００５６】
液晶表示装置４では、ＷｇｒとＷｂｇとＷｒｂは全て等しくなっている（Ｗｇｒ＝Ｗｂｇ＝Ｗｒｂ）。ブラックマトリクスＢＭの幅方向の中心の位置は、第１実施形態と同様に、それぞれの混色の態様に応じてサブピクセルの境界部ＢＬｇｒ，ＢＬｂｇ，ＢＬｒｂごとに適切に制御されている。
【００５７】
この構成においても、開口率を大きく損なうことなく混色を抑制することができる。
【産業上の利用可能性】
【００５８】
本発明は、液晶表示装置に利用することができる。
【符号の説明】
【００５９】
３，４…液晶表示装置、Ｐ１…第１サブピクセル、Ｐ２…第２サブピクセル、Ｐｒ…赤色サブピクセル、Ｐｇ、緑色サブピクセル、Ｐｂ…青色サブピクセル、ＣＦ１…第１カラーフィルタ、ＣＦ２…第２カラーフィルタ、ＣＦｒ…赤色カラーフィルタ、ＣＦｇ…緑色カラーフィルタ、ＣＦｂ…青色カラーフィルタ、ＢＬ，ＢＬｒｇ，ＢＬｂｇ，ＢＬｒｂ…サブピクセルの境界部、ＢＭ・・・ブラックマトリクス
【図１Ａ】
2014038436.tif 000003
【図１Ｂ】
2014038436.tif 000004
【図２Ａ】
2014038436.tif 000005
【図２Ｂ】
2014038436.tif 000006
【図３Ａ】
2014038436.tif 000007
【図３Ｂ】
2014038436.tif 000008
【図４Ａ】
2014038436.tif 000009
【図４Ｂ】
2014038436.tif 000010
【図５Ａ】
2014038436.tif 000011
【図５Ｂ】
2014038436.tif 000012
【図６Ａ】
2014038436.tif 000013
【図６Ｂ】
2014038436.tif 000014
【図７】
2014038436.tif 000015
【図８】
2014038436.tif 000016
【国際調査報告】
2014038436.tif 000017
2014038436.tif 000018